(57)【要約】【課題】バス電極だけで放電を発生させると共に、輝度及び放電効率を向上させることができるプラズマディスプレイパネルを提供するためのものである。【解決手段】本発明に係るプラズマディスプレイパネルは、隔壁によって区画される放電セルと、前記放電セルの境界に隣接して形成され、第１駆動パルスが印加されて、前記放電セルの境界方向に突出した第１突出電極を各々備えた上部電極部及び下部電極部と、前記上部電極部と前記下部電極部との間に位置して第２駆動パルスが印加され、前記放電セルの中心方向に突出した第２突出電極を備えた第１中央電極部と、前記第１中央電極部と前記下部電極部との間に位置し、前記第２駆動パルスが印加され、前記放電セルの中心方向に突出した第２突出電極を備えた第２中央電極部とを含む。【選択図】図３
2006114496.tif 000002
【特許請求の範囲】
【請求項１】
隔壁によって区画される放電セルと、
前記放電セルの境界に隣接して形成され、第１駆動パルスが印加される上部電極部及び下部電極部と、
前記上部電極部と前記下部電極部との間に位置し、第２駆動パルスが印加される第１中央電極部と、
前記第１中央電極部と前記下部電極部との間に位置し、前記第２駆動パルスが印加される第２中央電極部と、
を含むことを特徴とするプラズマディスプレイパネル。 
【請求項２】
前記上部電極部及び前記下部電極部はスキャン電極の機能を遂行し、
前記第１中央電極部及び前記第２中央電極部はサステイン電極の機能を遂行すること、
を特徴とする、請求項１記載のプラズマディスプレイパネル。
【請求項３】
前記上部電極部及び前記下部電極部はサステイン電極の機能を遂行し、
前記第１中央電極部及び前記第２中央電極部はスキャン電極の機能を遂行すること、
を特徴とする、請求項１記載のプラズマディスプレイパネル。 
【請求項４】
前記上部電極部の幅は３０μｍ以上６０μｍ以下であり、
前記下部電極部の幅は３０μｍ以上６０μｍ以下であること、
を特徴とする、請求項１記載のプラズマディスプレイパネル。
【請求項５】
前記上部電極部と前記下部電極部はバス電極だけで構成されることを特徴とする、請求項１記載のプラズマディスプレイパネル。
【請求項６】
前記上部電極部と前記下部電極部は金属からなる電極のみで構成されることを特徴とする、請求項１に記載のプラズマディスプレイパネル。
【請求項７】
前記第１中央電極部の幅は３０μｍ以上６０μｍ以下であり、
前記第２中央電極部の幅は３０μｍ以上６０μｍ以下であること、
を特徴とする、請求項１記載のプラズマディスプレイパネル。 
【請求項８】
前記第１中央電極部と前記第２中央電極部はバス電極だけで構成されることを特徴とする、請求項１記載のプラズマディスプレイパネル。 
【請求項９】
前記上部電極部及び前記下部電極部の各々は、複数個のバス電極からなることを特徴とする、請求項１に記載のプラズマディスプレイパネル。 
【請求項１０】
前記第１中央電極部及び前記第２中央電極部の各々は、複数個のバス電極からなることを特徴とする、請求項１記載のプラズマディスプレイパネル。
【請求項１１】
前記第１中央電極部と前記第２中央電極部は互いに分離していることを特徴とする、請求項１記載のプラズマディスプレイパネル。 
【請求項１２】
隔壁によって区画される放電セルと、
前記放電セルの境界に隣接して形成され、第１駆動パルスが印加されて、前記放電セルの境界方向に向かって互いに離間するように突出した、各々が１つ以上の突出電極からなる第１突出電極部を備えた上部電極部及び下部電極部と、
前記上部電極部と前記下部電極部との間に位置し、第２駆動パルスが印加されて、１つ以上の突出電極からなる第２突出電極部を備えた第１中央電極部と、
前記第１中央電極部と前記下部電極部との間に位置し、前記第２駆動パルスが印加されて、前記第２突出電極部に対向する１つ以上の突出電極からなる第２突出電極部を備えた第２中央電極部と、
を含むことを特徴とするプラズマディスプレイパネル。
【請求項１３】
前記第１突出電極部に含まれた各突出電極の幅は、１００μｍ以上２５０μ以下であることを特徴とする請求項１１記載のプラズマディスプレイパネル。
【請求項１４】
前記第２突出電極部に含まれた各突出電極の幅は１００μｍ以上２５０μｍ以下であることを特徴とする、請求項１１記載のプラズマディスプレイパネル。 
【請求項１５】
前記第１中央電極部の第２突出電極部と前記第２中央電極部の第２突出電極部とは、互いに分離していることを特徴とする、請求項１１記載のプラズマディスプレイパネル。
【請求項１６】
前記第１中央電極部の第２突出電極部に含まれた突出電極と、前記第２中央電極部の第２突出電極部に含まれた突出電極との間の最小間隔は、５０μｍ以上２００μｍ以下であることを特徴とする、請求項１５記載のプラズマディスプレイパネル。 
【請求項１７】
前記上部電極部、前記下部電極部、前記第１中央電極部及び前記第２中央電極部の各々は、バス電極だけで構成されることを特徴とする、請求項１２記載のプラズマディスプレイパネル。 
【請求項１８】
前記第１突出電極部の各々は、ｎ個（ｎは３以上の奇数）の突出電極からなり、
前記ｎ個の突出電極中の中央に位置した突出電極の長さは、残りの突出電極中の１つの長さの１００％以上２００％以下であることを特徴とする、請求項１２記載のプラズマディスプレイパネル。 
【請求項１９】
前記第１突出電極部の各々は、ｎ個（ｎは３以上の奇数）の突出電極からなり、
前記ｎ個の突出電極中の中央に位置した突出電極の長さは１００μｍ以上２５０μｍ以下であることを特徴とする、請求項１２記載のプラズマディスプレイパネル。
【請求項２０】
前記第２突出電極部の各々は、ｍ個（ｍは３以上の奇数）の突出電極からなり、
前記ｍ個の突出電極中の中央に位置した突出電極の長さは残りの突出電極中の１つの長さの１００％以上２００％以下であることを特徴とする、請求項１１記載のプラズマディスプレイパネル。 
【請求項２１】
前記第２突出電極部の各々は、ｍ個（ｍは３以上の奇数）の突出電極からなり、
前記ｍ個の突出電極中の中央に位置した突出電極の長さは１００μｍ以上２５０μｍ以下であることを特徴とする、請求項１１記載のプラズマディスプレイパネル。 
【請求項２２】
隔壁によって区画される放電セルと、
前記第１駆動パルスを印加する第１駆動部と、
前記第２駆動パルスを印加する第２駆動部と、
前記放電セルの境界に隣接して形成され、前記第１駆動パルスが印加される上部電極部及び下部電極部と、
前記上部電極部と前記下部電極部との間に位置し、前記第２駆動パルスを印加される第１中央電極部と、
前記第１中央電極部と前記下部電極部との間に位置し、前記第２駆動パルスを印加される第２中央電極部と、
を含むことを特徴とするプラズマディスプレイ装置。 
【請求項２３】
前記第１駆動部は前記上部電極部及び前記下部電極部がスキャン電極として機能するようにし、
前記第２駆動部は前記第１中央電極部及び前記第２中央電極部がサステイン電極として機能するようにすること、
を特徴とする、請求項２２記載のプラズマディスプレイ装置。 
【請求項２４】
前記第１駆動部は前記上部電極部及び前記下部電極部がサステイン電極として機能するようにし、
前記第２駆動部は前記第１中央電極部及び前記第２中央電極部がスキャン電極として機能するようにすること、
を特徴とする、請求項２２記載のプラズマディスプレイ装置。 
【請求項２５】
前記第１中央電極部と前記第２中央電極部とは互いに分離していることを特徴とする、請求項２２記載のプラズマディスプレイ装置。 
【請求項２６】
前記上部電極部及び前記下部電極部の各々は、前記放電セルの境界方向に向かって互いに離間する方向に突出した第１突出電極部を備え、
前記第１突出電極部は１つ以上の突出電極を含むこと、
を特徴とする、請求項２２記載のプラズマディスプレイ装置。
【請求項２７】
前記第１中央電極部及び前記第２中央電極部の各々は、互いに対向する方向に突出した第２突出電極部を備え、
前記第２突出電極部は１つ以上の突出電極を含むこと、
を特徴とする、請求項２２記載のプラズマディスプレイ装置。
【請求項２８】
前記第１中央電極部に備えられた第２突出電極部と前記第２中央電極部に備えられた第２突出電極部とは互いに分離していることを特徴とする、請求項２７記載のプラズマディスプレイ装置。
【発明の詳細な説明】
【技術分野】
【０００１】
本発明は、プラズマディスプレイパネル及びプラズマディスプレイ装置に関し、より詳しくは、電極を含むプラズマディスプレイパネル及びプラズマディスプレイ装置に関する。
【背景技術】
【０００２】
一般に、プラズマディスプレイパネルは、ソーダライム（Soda-lime）ガラスからなる前面基板と背面基板とからなる。前面基板と背面基板との間に形成された隔壁は、放電セルを区画する。放電セルの内部に注入されたヘリウム−キセノン（He-Xe）、ヘリウム−ネオン（He-Ne）などのような不活性ガスは高周波電圧により放電を起こす。放電が起きる際、真空紫外線（Vacuum Ultraviolet rays）が生じ、真空紫外線が隔壁間に形成された蛍光体を発光させることによって画像が具現される。 
【０００３】
図１は、従来のプラズマディスプレイパネルの構造を概略的に示す斜視図である。図１に示すように、従来のプラズマディスプレイパネルは前面パネルと後面パネルとからなる。前面パネルは前面ガラス基板１０を含み、後面パネルは後面ガラス基板２０を含む。前面パネルと後面パネルは一定の距離を置いて平行に結合する。 
【０００４】
前面ガラス基板１０上には、相互放電によりセルの発光を維持するための維持電極対１１、１２が形成される。維持電極対は、スキャン電極１１とサステイン電極１２とからなる。スキャン電極１１とサステイン電極１２の各々は、透明なＩＴＯ物質で形成された透明電極１１ａ、１２ａと金属材質で製作されたバス電極１１ｂ、１２ｂからなる。スキャン電極１１は、パネルをスキャンするためのスキャン信号と放電維持のための維持信号を入力受ける。サステイン電極１２は、主として維持信号の入力を受ける。誘電体層１３ａは維持電極対１１、１２の上部に形成され、放電電流を制限して電極対間を絶縁させる。保護層１４は誘電体層１３の上面に形成され、放電条件を容易にするために酸化マグネシウム（MgO）からなる。 
【０００５】
後面ガラス基板２０上には、維持電極対１１、１２と交叉するようにアドレス電極２２が配置される。誘電体層１３ｂはアドレス電極２２の上部に形成され、アドレス電極２２間を絶縁させる。隔壁２１は誘電体層１３ｂ上に形成され、放電セルを区画する。Ｒ、Ｇ、Ｂ蛍光層２３は、隔壁２１と隔壁２１との間に塗布されて画像表示のための可視光線を放出する。
【０００６】
前面ガラス基板１０と後面ガラス基板２０は、シーリング材（sealing material）により合着する。ヘリウム（He）、ネオン（Ne）、キセノン（Xe）などのような不活性ガスは排気工程が遂行された後、プラズマディスプレイパネルの内部に注入される。
【０００７】
従来のプラズマディスプレイパネルは、高価な透明電極１１ａ、１２ａを含むので製造費用が上昇する。製造費用の上昇を防ぐためにバス電極１１ｂ、１２ｂだけでなされたフェンスタイプ（Fence type）電極構造が提案された。
【０００８】
図２は、従来のフェンスタイプ電極構造を有する放電セルの平面図である。図２に示すように、高価な透明電極をなくす代わりに、複数個のスキャン用バス電極２１０と複数個のサステイン用バス電極２２０とが放電セルの上部と下部とに形成される。また、複数個のスキャン用バス電極２１０を連結するスキャン用連結電極２３０と、複数個のサステイン用バス電極２２０を連結するサステイン用連結電極２４０が形成される。 
【０００９】
スキャン用連結電極２３０によって連結されたスキャン用バス電極２１０と、サステイン用連結電極２４０によって連結されたサステイン用バス電極２１０とは、互いに所定距離だけ離隔して放電ギャップ２５０を形成する。
【００１０】
従来のフェンスタイプ（Fence type）電極構造は、高価な透明電極なしでも放電が可能であるが、不透明なバス電極を通じて放電がなされるので開口率が低減する問題がある。特に、不透明なバス電極が全て放電空間の内部に形成されるので開口率がより低減する。
【００１１】
また、従来のフェンスタイプ（Fence type）電極構造では、放電空間とバス電極が重なる面積が放電空間と透明電極が重なる面積に比べて小さいために放電拡散が良好でなくなる問題がある。 
【００１２】
また、従来のフェンスタイプ電極構造では開口率が小さく、また放電拡散が良好でないので、プラズマディスプレイパネルの輝度及び放電効率を低下させる問題がある。
【発明の開示】
【発明が解決しようとする課題】
【００１３】
本発明は、バス電極だけで放電を発生させると共に、開口率を確保することができるプラズマディスプレイパネルを提供するためのものである。 
【００１４】
本発明は、バス電極だけで放電を発生させると共に、放電拡散を容易にすることができるプラズマディスプレイパネルを提供するためのものである。 
【００１５】
本発明は、バス電極だけで放電を発生させると共に、輝度及び放電効率を向上させることができるプラズマディスプレイパネルを提供するためのものである。
【課題を解決するための手段】
【００１６】
本発明のプラズマディスプレイパネルは、隔壁によって区画される放電セルと、前記放電セルの境界に隣接して形成され、第１駆動パルスが印加される上部電極部及び下部電極部と、前記上部電極部と前記下部電極部との間に位置し、第２駆動パルスが印加される第１中央電極部と、前記第１中央電極部と前記下部電極部との間に位置し、前記第２駆動パルスが印加される第２中央電極部と、を含む。
【００１７】
前記上部電極部及び前記下部電極部はスキャン電極の機能を遂行し、前記第１中央電極部及び前記第２中央電極部はサステイン電極の機能を遂行することを特徴とする。
【００１８】
前記上部電極部及び前記下部電極部はサステイン電極の機能を遂行し、前記第１中央電極部及び前記第２中央電極部はスキャン電極の機能を遂行することを特徴とする。
【００１９】
前記上部電極部の幅は３０μｍ以上６０μｍ以下であり、前記下部電極部の幅は３０μｍ以上６０μｍ以下であることを特徴とする。
【００２０】
前記上部電極部と前記下部電極部はバス電極だけで構成されることを特徴とする。
【００２１】
前記第１中央電極部の幅は３０μｍ以上６０μｍ以下であり、前記第２中央電極部の幅は３０μｍ以上６０μｍ以下であることを特徴とする。
【００２２】
前記第１中央電極部と前記第２中央電極部はバス電極だけで構成されることを特徴とする。
【００２３】
前記上部電極部及び前記下部電極部の各々は、複数個のバス電極からなることを特徴とする。
【００２４】
前記第１中央電極部及び前記第２中央電極部の各々は、複数個のバス電極からなることを特徴とする。
【００２５】
前記第１中央電極部と前記第２中央電極部は互いに分離していることを特徴とする。
【００２６】
本発明に係るプラズマディスプレイパネルは、隔壁によって区画される放電セルと、前記放電セルの境界に隣接して形成され、第１駆動パルスが印加されて、前記放電セルの境界方向に向かって互いに離間するように突出した、各々が１つ以上の突出電極からなる第１突出電極部を各々備えた上部電極部及び下部電極部と、前記上部電極部と前記下部電極部との間に位置して第２駆動パルスが印加されて、１つ以上の突出電極からなる第２突出電極部を備えた第１中央電極部と、前記第１中央電極部と前記下部電極部との間に位置し、前記第２駆動パルスが印加されて、前記第２突出電極部に対向する１つ以上の突出電極からなる第２突出電極部を備えた第２中央電極部と、を含む。
【００２７】
前記第１突出電極部に含まれた各突出電極の幅は１００μｍ以上２５０μｍ以下であることを特徴とする。
【００２８】
前記第２突出電極部に含まれた１つ以上の突出電極の幅は１００μｍ以上２５０μｍ以下であることを特徴とする。
【００２９】
前記第１中央電極部の第２突出電極部と前記第２中央電極部の第２突出電極部とは互いに分離していることを特徴とする。
【００３０】
前記第１中央電極部の第２突出電極部に含まれた突出電極と前記第２中央電極部の第２突出電極部に含まれた突出電極との間の最小間隔は５０μｍ以上２００μｍ以下であることを特徴とする。
【００３１】
前記上部電極部、前記下部電極部、前記第１中央電極部及び前記第２中央電極部の各々は、バス電極だけでなされりことを特徴とする。
【００３２】
前記第１突出電極部の各々は、ｎ個（ｎは３以上の奇数）の突出電極からなり、前記ｎ個の突出電極中の中間に位置した突出電極の長さは残りの突出電極中の１つの長さの１００％以上２００％以下であることを特徴とする。
【００３３】
前記第１突出電極部の各々は、ｎ個（ｎは３以上の奇数）の突出電極でなされて、前記ｎ個の突出電極中の中間に位置した突出電極の長さは１００μｍ以上２５０以下μｍであることを特徴とする。
【００３４】
前記第２突出電極部の各々は、ｍ個（ｍは３以上の奇数）の突出電極からなり、前記ｍ個の突出電極中の中間に位置した突出電極の長さは残りの突出電極中の１つの長さの１００％以上２００％ 以下であることを特徴とする。
【００３５】
前記第２突出電極部の各々は、ｍ個（ｍは３以上の奇数）の突出電極からなり、前記ｍ個の突出電極中の中間に位置した突出電極の長さは１００μｍ以上２５０μｍ以下であることを特徴とする。
【００３６】
本発明のプラズマディスプレイ装置は、隔壁によって区画される放電セルと、前記第１駆動パルスを印加する第１駆動部と、前記第２駆動パルスを印加する第２駆動部と、前記放電セルの境界に隣接して形成され、前記第１駆動パルスが印加される上部電極部及び下部電極部と、前記上部電極部と前記下部電極部との間に位置し、前記第２駆動パルスを印加される第１中央電極部と、前記第１中央電極部と前記下部電極部との間に位置し、前記第２駆動パルスを印加される第２中央電極部と、を含む。
【００３７】
前記第１駆動部は前記上部電極部及び前記下部電極部がスキャン電極として機能するようにし、前記第２駆動部は前記第１中央電極部及び前記第２中央電極部がサステイン電極として機能するようにすることを特徴とする。
【００３８】
前記第１駆動部は前記上部電極部及び前記下部電極部がサステイン電極として機能するようにし、前記第２駆動部は前記第１中央電極部及び前記第２中央電極部がスキャン電極として機能するようにすることを特徴とする。
【００３９】
前記第１中央電極部と前記第２中央電極部とは互いに分離していることを特徴とする。
【００４０】
前記上部電極部及び前記下部電極部の各々は、前記放電セルの境界方向に向かって互いに離間する方向に突出した第１突出電極部を備え、前記第１突出電極部は１つ以上の突出電極を含むこと、を特徴とする。
【００４１】
前記第１中央電極部及び前記第２中央電極部の各々は、互いに対向する方向に突出した第２突出電極部を備え、前記第２突出電極部は１つ以上の突出電極を含むこと、を特徴とする。
【００４２】
前記第１中央電極部に備えられた第２突出電極部と前記第２中央電極部に備えられた第２突出電極部とは互いに分離していることを特徴とする。
【発明の効果】
【００４３】
本発明は、複数個の放電ギャップと突出電極を形成することによって、開口率を確保し、かつ、放電量を増加させ、また、放電拡散を容易にすることができる。 
【００４４】
本発明は、放電量が増加して放電拡散が容易に起きることによって輝度及び放電効率を向上させることができる。
【発明を実施するための最良の形態】
【００４５】
以下、本発明に係る具体的な実施形態を添付の図面を参照しつつ説明する。
【００４６】
図３は本発明に係るプラズマディスプレイパネルの平面図である。
【００４７】
図３に示すように、本発明に係るプラズマディスプレイパネルは放電セル２９０、上部電極部３０５、下部電極部３１０、第１中央電極部３１５及び第２中央電極部３２０を含む。
【００４８】
放電セル２９０は、隔壁３００によって区画され、内部にある不活性ガスによって放電が起きる空間を提供する。
【００４９】
上部電極部３０５及び下部電極部３１０は、放電セル２９０の境界に隣接して形成されて第１駆動パルスを印加される。上部電極部３０５及び下部電極部３１０は、スキャン電極またはサステイン電極中の１つの電極の機能を遂行する。これによって上部電極部３０５及び下部電極部３１０がスキャン電極の機能を遂行すれば、第１駆動パルスはスキャン電極に入力されるリセットパルス、スキャンパルス及びサステインパルスなどのようなものである。また、上部電極部３０５及び下部電極部３１０がサステイン電極の機能を遂行すれば、第１駆動パルスはサステイン電極に入力されるサステインパルスなどのようなものである。この際、上部電極部３０５及び下部電極部３１０の幅は、３０μｍ以上６０μｍ以下であることが好ましい。このような上部電極部３０５と下部電極部３１０はバス電極だけで構成される。言い換えれば、上部電極部３０５と下部電極部３１０は金属からなる電極のみで構成される。図３に図示された上部電極部３０５と下部電極部３１０の各々は、１つのバス電極だけで構成されているが、複数個のバス電極で構成されることができる。このような上部電極部３０５と下部電極部３１０の各々は、隣接した放電セルの境界方向に突出した第１突出電極部３３０を備える。上部電極部３０５と下部電極部３１０の各々の第１突出電極部３３０は１つ以上の突出電極を含む。図３に図示された第１突出電極部３３０は１つの突出電極を含み、図４に図示された第１突出電極部３３０は複数個の突出電極を含む。この際、上部電極部３０５から突出した第１突出電極部３３０は、上部電極部３０５と隣接した放電セルの上部境界領域方向に突出し、下部電極部３１０から突出した第１突出電極部３３０は、下部電極部３１０と隣接した放電セルの下部境界領域方向に突出する。このような第１突出電極部３３０に含まれた各突出電極の幅は１００μｍ以上２５０μｍ以下であることが好ましい。図４に示すように、第１突出電極部３３０はｎ個（ｎは３以上の奇数）の突出電極からなり、ｎ個の突出電極中の中間に位置した中央突出電極の長さは、残りの周辺突出電極中の１つの長さの１００％以上２００％以下であることが好ましい。また、第１突出電極部３３０に含まれた中央突出電極の長さは、１００μｍ以上２５０μｍ以下であることが好ましい。
【００５０】
第１中央電極部３１５は、上部電極部３０５と下部電極部３１０との間に位置して第２駆動パルスを印加される。第１中央電極部３１５は、上部電極部３０５と対応して第１放電ギャップ３７０を形成する。即ち、上部電極部３０５がスキャン電極の機能を遂行すれば、第１中央電極部３１５はサステイン電極の機能を遂行するためにサステインパルスなどのような第２駆動パルスを印加される。また、上部電極部３０５がサステイン電極の機能を遂行すれば、第１中央電極部３１５はスキャン電極の機能を遂行するためにリセットパルス、スキャンパルス及びサステインパルスなどのような第２駆動パルスを印加される。このような第１中央電極部３１５の幅は３０μｍ以上６０μｍ以下であることが好ましい。 
【００５１】
第２中央電極部３２０は、第１中央電極部３１５と下部電極部３１０との間に位置して第２駆動パルスを印加される。第２中央電極部３２０は、下部電極部３１０と対応して第２放電ギャップ３８０を形成する。即ち、下部電極部３１０がスキャン電極の機能を遂行すれば、第２中央電極部３２０はサステイン電極の機能を遂行するためにサステインパルスなどのような第２駆動パルスを印加される。また、下部電極部３１０がサステイン電極の機能を遂行すれば、第２中央電極部３２０はスキャン電極の機能を遂行するために、リセットパルス、スキャンパルス及びサステインパルスなどのような第２駆動パルスを印加される。このような第２中央電極部３２０の幅は、３０μｍ以上６０μｍ以下であることが好ましい。
【００５２】
このような第１中央電極部３１５と第２中央電極部３２０は、バス電極だけで構成される。図３に図示された第１中央電極部３１５と第２中央電極部３２０の各々は、１つのバス電極だけで構成されているが、複数個のバス電極で構成されることができる。 
【００５３】
この際、第１中央電極部３１５と第２中央電極部３２０の各々は、放電セル２９０の中心方向に突出した第２突出電極部３３５を備える。第１中央電極部３１５と第２中央電極部３２０の各々の第２突出電極部３３５は１つ以上の突出電極を含む。図３に図示された第２突出電極部３３５は１つの突出電極を含み、図４に図示された第２突出電極部３３５は複数個の突出電極を含む。この際、第１中央電極部３１５から突出した第２突出電極部３３５と、第２中央電極部３２０から突出した第２突出電極部３３５とは互いに対向するように形成される。この際、第２突出電極部３３５に含まれた各突出電極の幅は１００μｍ以上２５０μｍ以下であることが好ましい。図４に示すように、第２突出電極部３３５の中央突出電極はｍ個（ｍは３以上の奇数）の突出電極からなり、ｍ個の突出電極中の中間に位置した中央突出電極の長さは、残りの周辺突出電極中の１つの長さの１００％以上２００％以下であることが好ましい。また、第２突出電極部３３５の中央突出電極の長さは、１００μｍ以上２５０μｍ以下であることが好ましい。
【００５４】
図４に図示された複数個の突出電極による放電拡散は、図３に図示された１つの突出電極による放電拡散より良好になされる。 
【００５５】
このような本発明のプラズマディスプレイパネルにおける放電過程を詳細に説明する。      
【００５６】
本発明に係るプラズマディスプレイパネルの放電セルで発光のためのサステイン放電が起きて、上部電極部３０５及び下部電極部３１０がスキャン電極の機能を遂行し、第１中央電極部３１５と第２中央電極部３２０がサステイン電極の機能を遂行すると仮定する。
【００５７】
上部電極部３０５と下部電極部３１０は同時に第１駆動パルスであるサステインパルスを印加される。次に、第１中央電極部３１５と第２中央電極部３２０は第１駆動パルスと交互されるサステインパルスを同時に印加される。 
【００５８】
これによって、上部電極部３０５と第１中央電極部３１５との間に形成された第１放電ギャップ３７０でサステイン放電が起き、下部電極部３１０と第２中央電極部３２０との間に形成された第２放電ギャップ３８０でサステイン放電が起きる。 
【００５９】
即ち、従来のフェンス構造でなされた電極を含むプラズマディスプレイパネルでは１つの放電セルで１つの放電ギャップが形成されるが、本発明のプラズマディスプレイパネルでは１つの放電セルで２つの放電ギャップが形成される。従って、本発明は開口率を最大限確保し、かつ、輝度及び放電効率を増加させることができる。 
【００６０】
第１放電ギャップ３７０で起きたサステイン放電は、上部電極部３０５に備えられた第１突出電極部３３０によって放電セル２９０の境界方向に広がり、第１中央電極部３１５に備えられた第２突出電極部３３５によって放電セル２９０の中心方向に広がる。 
【００６１】
また、第２放電ギャップ３８０で起きたサステイン放電は、下部電極部３１０に備えられた第１突出電極部３３０によって放電セル２９０の境界方向に広がり、第２中央電極部３２０に備えられた第２突出電極部３３５によって放電セル２９０の中心方向に広がる。      
【００６２】
これによって、第１放電ギャップ３７０と第２放電ギャップ３８０で起きたサステイン放電は、放電セル２９０の内部の全体領域に広がる。即ち、従来のプラズマディスプレイパネルに含まれたフェンス構造の電極は放電空間と重なる面積が小さいので、放電拡散が良好となり難かったが、本発明に係るプラズマディスプレイパネルに含まれた電極は２つの放電ギャップ３７０、３８０で形成された放電が放電セル２９０の内部の全領域に拡散する。これによって、本発明のプラズマディスプレイパネルは輝度及び放電効率を向上させる。 
【００６３】
また、図４に示すように、複数個の突出電極が形成される場合、バス電極の面積が広くなることによって充分な壁電荷が蓄積されることができ、放電拡散がより良好になされる。その結果、放電維持電圧が低くなって強放電が起きる。
【００６４】
このような本発明のプラズマディスプレイパネルに含まれた第１中央電極部３１５と第２中央電極部３２０とは互いに分離していることが好ましい。第１中央電極部３１５と第２中央電極部３２０が互いに連結されている場合、プラズマディスプレイパネルの特性や壁電荷のバラツキなどによって一側の放電ギャップで放電が先に起きれば、先に起きた放電によって他側の放電ギャップを形成する電極の表面へ壁電荷が移動して他側の放電ギャップで起きる放電を妨害することがある。 
【００６５】
このような理由により、第１中央電極部３１５に備えられた第２突出電極部３３５と、第２中央電極部３２０に備えられた第２突出電極部３３５とも互いに分離していることが好ましい。この際、第１中央電極部３１５の第２突出電極部３３５に含まれた突出電極と、第２中央電極部３２０の第２突出電極部３３５に含まれた突出電極との間の最小間隔３６０は、５０μｍ以上２００μｍ以下であることが好ましい。
【００６６】
次に、図面を参照しつつ本発明に係るプラズマディスプレイ装置を詳細に説明する。 
【００６７】
図５は、本発明に係るプラズマディスプレイ装置の構成図である。図５に示すように、本発明に係るプラズマディスプレイ装置は、放電セル２９０、上部電極部３０５、下部電極部３１０、第１中央電極部３１５及び第２中央電極部３２０、第１駆動部４００及び第２駆動部４１０を含む。 
【００６８】
放電セル２９０は、隔壁３００によって区画されて、内部にある不活性ガスによって放電が起きる空間を提供する。 
【００６９】
上部電極部３０５及び下部電極部３１０は、放電セル２９０の境界に隣接して形成されて、第１駆動部４００から第１駆動パルスを印加される。この際、上部電極部３０５または下部電極部３１０の幅は、３０μｍ以上６０μｍ以下であることが好ましい。このような上部電極部３０５と下部電極部３１０とはバス電極だけでなされる。このような上部電極部３０５と下部電極部３１０の各々は、隣接した放電セルの境界方向に突出した第１突出電極部３３０を備える。上部電極部３０５及び下部電極部３１０の各々の第１突出電極部３３０は、１つ以上の突出電極を含む。即ち、第１突出電極部３３０は、図３に示すように、１つの突出電極を含むことができ、図４に示すように、複数個の突出電極を含むこともできる。 
【００７０】
この際、上部電極部３０５から突出した第１突出電極部３３０は、上部電極部３０５と隣接した放電セルの上部境界領域方向に突出し、下部電極部３１０から突出した第１突出電極部３３０は、下部電極部３１０と隣接した放電セルの下部境界領域方向に突出する。このような第１突出電極部３３０に含まれた各突出電極の幅は、１００μｍ以上２５０μｍ以下であることが好ましい。 
【００７１】
第１中央電極部３１５は、上部電極部３０５と下部電極部３１０との間に位置して第２駆動部４１０から第２駆動パルスを印加される。第１中央電極部３１５は、上部電極部３０５と対応して第１放電ギャップ３７０を形成する。このような第１中央電極部３１５の幅は３０μｍ以上６０μｍ以下であることが好ましい。 
【００７２】
第２中央電極部３２０は、第１中央電極部３１５と下部電極部３１０との間に位置して第２駆動部４１０から第２駆動パルスを印加される。第２中央電極部３２０は、下部電極部３１０と対応して第２放電ギャップ３８０を形成する。このような第２中央電極部３２０の幅は３０μｍ以上６０μｍ以下であることが好ましい。 
【００７３】
このような本発明のプラズマディスプレイ装置に含まれた第１中央電極部３１５と第２中央電極部３２０は互いに分離していることが好ましい。また、第１中央電極部３１５に備えられた第２突出電極部３３５と第２中央電極部３２０に備えられた第２突出電極部３３５も互いに分離していることが好ましい。第２突出電極部３３５は１つ以上の突出電極を含む。即ち、図３に示すように、第２突出電極部３３５は１つの突出電極を含むことができ、図４に示すように、第２突出電極部３３５は複数個の突出電極を含むことができる。第２突出電極部３３５に含まれた各突出電極の幅は１００μｍ以上２５０μｍ以下であることが好ましい。また、この際、第１中央電極部３１５の第２突出電極部３３５に含まれた突出電極と、第２中央電極部３２０の第２突出電極部３３５に含まれた突出電極との間の最小間隔３６０は５０μｍ以上２００μｍ以下であることが好ましい。 
【００７４】
第１駆動部４００は、上部電極部３０５及び下部電極部３１０に第１駆動パルスを印加する。 
【００７５】
第２駆動部４１０は、第１中央電極部３１５及び第２中央電極部３２０に第２駆動パルスを印加する。 
【００７６】
このような第１駆動部４００が、リセットパルス、スキャンパルスまたはサステインパルスなどのような第１駆動パルスを上部電極部３０５及び下部電極部３１０に印加すれば、第２駆動部４１０はサステインパルスなどのような第２駆動パルスを第１中央電極部３１５及び第２中央電極部３２０に印加する。これによって、上部電極部３０５及び下部電極部３１０はスキャン電極の機能を遂行し、第１中央電極部３１５及び第２中央電極部３２０はサステイン電極の機能を遂行する。 
【００７７】
また、第１駆動部４００がサステインパルスなどのような第１駆動パルスを上部電極部３０５及び下部電極部３１０に印加すれば、第２駆動部４１０は、リセットパルス、スキャンパルスまたはサステインパルスなどのような第２駆動パルスを第１中央電極部３１５及び第２中央電極部３２０に印加する。これによって、上部電極部３０５及び下部電極部３１０はサステイン電極の機能を遂行し、第１中央電極部３１５及び第２中央電極部３２０はスキャン電極の機能を遂行する。
【図面の簡単な説明】
【００７８】
【図１】従来のプラズマディスプレイパネルの構造を概略的に示す斜視図である。
【図２】従来のプラズマディスプレイパネルのフェンスタイプ電極構造を有する放電セルの平面図である。
【図３】本発明に係るプラズマディスプレイパネルの平面図である。
【図４】本発明の他の実施形態に係るプラズマディスプレイパネルの平面図である。
【図５】本発明に係るプラズマディスプレイ装置の構成図である。
【符号の説明】
【００７９】
１０  前面ガラス基板
１１  スキャン電極
１１ａ、１２ａ  透明電極
１１ｂ、１２ｂ   バス電極
１２    サステイン電極
１３ａ、１３ｂ    誘電体層
１４    保護層
２０    後面ガラス基板
２１    隔壁 
２２    アドレス電極
２３    Ｒ、Ｇ、Ｂ蛍光層
２１０    スキャン用バス電極
２２０    サステイン用バス電極
２３０    スキャン用連結電極
２４０    サステイン用連結電極
２５０    放電ギャップ
２９０    放電セル
３００    隔壁
３０５    上部電極部
３１０    下部電極部
３１５    第１中央電極部
３２０    第２中央電極部
３３０    第１突出電極部
３３５    第２突出電極部
【図１】
2006114496.tif 000003
【図２】
2006114496.tif 000004
【図３】
2006114496.tif 000005
【図４】
2006114496.tif 000006
【図５】
2006114496.tif 000007